(57)【要約】【課題】帳票に付与した識別情報に基づいて帳票を効率よく管理する。【解決手段】各帳票を一意に識別するための識別情報に基づいて帳票を種類別に分類する帳票処理システムを、誤り訂正検出用の演算に基づいて、帳票に付与された識別情報から、帳票に印字する印字用帳票情報を生成する印字用帳票情報生成部、及び生成された印字用帳票情報を帳票に印字する印字部を備える帳票処理装置と、帳票に印字された印字用帳票情報を文字認識する文字認識部、誤り訂正検出用の演算処理と文字認識結果に含まれる不明文字及び読み取り間違いの訂正処理とを行って、文字認識結果に誤りがないことを検証できた場合に、文字認識して得られた印字用帳票情報から識別情報を認識する識別情報認識部、及び識別情報認識部によって認識された識別情報に基づいて帳票が分類収納される複数の収納部を備える帳票分類装置とによって構成する。【選択図】  図１
2016095589.tif 000002
【特許請求の範囲】
【請求項１】
各帳票を一意に識別するための識別情報に基づいて帳票を種類別に分類する帳票処理システムであって、
誤り訂正検出用の演算に基づいて、帳票に付与された識別情報から、前記帳票に印字する印字用帳票情報を生成する印字用帳票情報生成部、及び生成された前記印字用帳票情報を前記帳票に印字する印字部を備える帳票処理装置と、
前記帳票に印字された前記印字用帳票情報を文字認識する文字認識部、前記誤り訂正検出用の演算処理と文字認識結果に含まれる不明文字及び読み取り間違いの訂正処理とを行って、前記文字認識結果に誤りがないことを検証できた場合に、文字認識して得られた印字用帳票情報から前記識別情報を認識する識別情報認識部、及び前記識別情報認識部によって認識された前記識別情報に基づいて前記帳票が分類収納される複数の収納部を備える帳票分類装置と
を備えることを特徴とする帳票処理システム。
【請求項２】
各帳票に付与された前記識別情報と前記帳票分類装置の収納部との対応情報を入力するデータ入力装置
をさらに備え、
前記帳票分類装置は、前記データ入力装置から取得した前記対応情報に基づいて、前記帳票を前記収納部に分類収納する
ことを特徴とする請求項１に記載の帳票処理システム。
【請求項３】
前記帳票処理装置では、
前記印字用帳票情報生成部が、前記帳票分類装置での処理時に前記識別情報に誤りが含まれないことを検証するための情報を前記識別情報に付加した第１情報と、該第１情報の文字認識時に不明文字を含む読み取り間違いを訂正するための訂正用情報とによって前記印字用帳票情報を生成して、
前記印字部が、前記第１情報及び前記訂正用情報を前記帳票に印字して、
前記帳票分類装置では、
前記文字認識部が、前記帳票に印字された前記第１情報及び前記訂正用情報を文字認識して、
前記識別情報認識部が、文字認識して得られた第１情報及び訂正用情報に基づいて、前記第１情報の文字認識結果を決定して、決定した前記第１情報の文字認識結果から前記識別情報を認識する
ことを特徴とする請求項１又は２に記載の帳票処理システム。
【請求項４】
前記印字用帳票情報生成部は、前記識別情報に、モジュロ１０により得られた情報を付加して前記第１情報を生成することを特徴とする請求項３に記載の帳票処理システム。
【請求項５】
前記帳票分類装置では、
文字認識結果を決定した前記第１情報の中に、文字認識結果が得られなかった桁が１つだけ存在する場合には、該桁の文字認識結果が前記モジュロ１０に基づいて決定される
ことを特徴とする請求項４に記載の帳票処理システム。
【請求項６】
前記帳票処理装置では、
前記識別情報認識部が、文字認識して得られた前記訂正用情報を利用して、文字認識して得られた第１情報に含まれる、不明文字を含む読み取り間違いを訂正することを特徴とする請求項３〜５のいずれか１項に記載の帳票処理システム。
【請求項７】
前記帳票処理装置では、
前記印字用帳票情報生成部が、前記第１情報をエンコードして得られた第２情報及び第３情報を前記訂正用情報として前記印字用帳票情報を生成して、
前記帳票分類装置では、
前記文字認識部が、前記帳票に印字された前記第１情報、前記第２情報及び前記第３情報を文字認識して、
前記識別情報認識部が、文字認識して得られた第１情報と、文字認識して得られた第２情報をデコードして得られた第１情報と、文字認識して得られた第３情報をデコードして得られた第１情報とに基づいて、前記第１情報の文字認識結果を決定することを特徴とする請求項３〜６のいずれか１項に記載の帳票処理システム。
【請求項８】
前記帳票分類装置では、
前記識別情報認識部が、文字認識して得られた前記第１情報、文字認識して得られた前記第２情報をデコードして得られた第１情報、及び文字認識して得られた前記第３情報をデコードして得られた第１情報の３つの情報の間で、対応する各桁の文字を比較して、前記３つの情報の同一桁で異なる文字が得られている場合には、２つ以上の情報で同一の文字が得られた桁では該文字を文字認識結果として採用し、３つの情報でそれぞれ異なる文字が得られた桁では該桁の文字は不明であるものとして前記第１情報の文字認識結果を決定する
ことを特徴とする請求項７に記載の帳票処理システム。
【請求項９】
前記帳票分類装置は、
前記識別情報を認識できなかった帳票を排出するためのリジェクト部と、
前記リジェクト部に排出された帳票に関する情報を報知する報知部と
をさらに備える
ことを特徴とする請求項１〜８のいずれか１項に記載の帳票処理システム。
【請求項１０】
前記帳票分類装置は、
前記リジェクト部に排出された帳票に付与された識別情報の入力を受け付けて、入力された前記識別情報に関する情報を表示するための操作表示部
をさらに備える
ことを特徴とする請求項９に記載の帳票処理システム。
【請求項１１】
各帳票を一意に識別するための識別情報に基づいて帳票を種類別に分類する帳票処理システムによって実行される帳票処理方法であって、
誤り訂正検出用の演算に基づいて、帳票に付与された識別情報から、前記帳票に印字する印字用帳票情報を生成する印字用帳票情報生成工程と、
前記印字用帳票情報生成工程で生成された前記印字用帳票情報を前記帳票に印字する印字工程と、
前記印字工程で前記帳票に印字された前記印字用帳票情報を文字認識する文字認識工程と、
前記誤り訂正検出用の演算処理と不明文字及び読み取り間違いの訂正処理とを行って、前記文字認識工程で得られた文字認識結果に誤りがないことを検証して、前記文字認識結果に誤りがないことを検証できた場合に、文字認識して得られた前記印字用帳票情報から前記識別情報を認識する識別情報認識工程と、
前記識別情報認識工程で認識された前記識別情報に基づいて、前記帳票を分類する分類工程と、
を含んだことを特徴とする帳票処理方法。
【請求項１２】
各帳票を一意に識別するための識別情報に基づいて帳票を種類別に分類する帳票分類装置であって、
前記識別情報を含む第１情報及び該第１情報をエンコードして得られた訂正用情報を含む印字用帳票情報が印字された帳票を処理対象として、前記帳票に印字された前記印字用帳票情報を文字認識する文字認識部と、
文字認識した印字用帳票情報から第１情報及び訂正用情報を抽出して、抽出した第１情報と抽出した訂正用情報をデコードして得られた第１情報とに基づいて、文字認識した第１情報に誤りがないことを検証できた場合に、該第１情報から前記識別情報を認識する識別情報認識部と、
前記識別情報認識部によって認識された前記識別情報に基づいて前記帳票を分類収納する複数の収納部と
を備えることを特徴とする帳票分類装置。
【発明の詳細な説明】
【技術分野】
【０００１】
この発明は、帳票に付与された識別情報に基づいて帳票を管理する帳票処理システム、帳票処理方法及び帳票分類装置に関する。
【背景技術】
【０００２】
従来、多数の帳票を種類別に分類して管理するために帳票分類装置が利用されている。例えば、税金の支払いや公共料金の支払い等に利用される帳票には、払込先や費目によって様々な種類のものがある。このような帳票を管理するため、例えば、特許文献１には、帳票を撮像した帳票画像を利用して帳票の種類を識別すると共に、蛍光インクを利用して、各帳票を識別するための識別子を帳票上に印字する帳票識別システムが開示されている。このシステムでは、帳票に紫外光を照射して、蛍光インクで印字された識別子を読み取って各帳票を管理する。この技術を利用すれば、複数の収納部に帳票を種類別に分類する帳票分類装置で、識別子に基づいて帳票を分類することができる。
【０００３】
また、特許文献２には、帳票の１つである手形を管理する手形管理システムが開示されている。手形上には、金額、振出人、口座情報等、様々な情報が印字されている。これらの情報を避けて、手形上の所定位置に、各手形を識別するための番号やシンボルマーク等の情報を印字しておくことにより、手形の後処理を行う際には、手形上の所定位置から読み取った情報を利用することができる。
【先行技術文献】
【特許文献】
【０００４】
【特許文献１】特開２０１２−２５２６５７号公報
【特許文献２】特開２００２−４１８１４号公報
【発明の概要】
【発明が解決しようとする課題】
【０００５】
しかしながら、上記従来技術では、帳票を効率よく管理できない場合があった。例えば、帳票を複数の収納部に分類する帳票分類装置では、種類を特定できなかった帳票は、所定のリジェクト部等に排出される。帳票がリジェクトされると、帳票分類装置の操作者は、リジェクトされた帳票を目視確認して、対応する収納部に手作業で収納する。このような場合に、特許文献１にあるように蛍光インク等の不可視インクで情報が印字されていると、操作者は、リジェクトされた帳票に印字された情報を可視光下で目視確認することができず、情報を読み取って帳票を処理するのに手間がかかる。
【０００６】
また、帳票の中には、表面に情報を印字することが認められず、裏面に情報を印字しなければならないものがあるが、裏面にも説明書きや模様等が印刷されている場合があり、単に情報を可視インクで印字しても正確に機械読み取りできないことが多い。
【０００７】
これに対応するため、特許文献２にあるように帳票の裏面で文字等が印刷されていない所定位置に情報を印字する方法があるが、帳票には様々な種類のものがあり、種類によって帳票の形状、大きさ、模様、印刷内容等が異なっている。このため、帳票の種類が特定される前に、帳票種類ごとに決められた位置に情報を印字することは不可能である。
【０００８】
本発明は、上述した従来技術による問題点を解消するためになされたもので、帳票に付与された識別情報に基づいて帳票を効率よく管理することができる帳票処理システム、帳票処理方法及び帳票分類装置を提供することを目的とする。
【課題を解決するための手段】
【０００９】
上述した課題を解決し、目的を達成するため、本発明は、各帳票を一意に識別するための識別情報に基づいて帳票を種類別に分類する帳票処理システムであって、誤り訂正検出用の演算に基づいて、帳票に付与された識別情報から、前記帳票に印字する印字用帳票情報を生成する印字用帳票情報生成部、及び生成された前記印字用帳票情報を前記帳票に印字する印字部を備える帳票処理装置と、前記帳票に印字された前記印字用帳票情報を文字認識する文字認識部、前記誤り訂正検出用の演算処理と文字認識結果に含まれる不明文字及び読み取り間違いの訂正処理とを行って、前記文字認識結果に誤りがないことを検証できた場合に、文字認識して得られた印字用帳票情報から前記識別情報を認識する識別情報認識部、及び前記識別情報認識部によって認識された前記識別情報に基づいて前記帳票が分類収納される複数の収納部を備える帳票分類装置とを備えることを特徴とする。
【００１０】
また、本発明は、上記発明において、各帳票に付与された前記識別情報と前記帳票分類装置の収納部との対応情報を入力するデータ入力装置をさらに備え、前記帳票分類装置は、前記データ入力装置から取得した前記対応情報に基づいて、前記帳票を前記収納部に分類収納することを特徴とする。
【００１１】
また、本発明は、上記発明において、前記帳票処理装置では、前記印字用帳票情報生成部が、前記帳票分類装置での処理時に前記識別情報に誤りが含まれないことを検証するための情報を前記識別情報に付加した第１情報と、該第１情報の文字認識時に不明文字を含む読み取り間違いを訂正するための訂正用情報とによって前記印字用帳票情報を生成して、前記印字部が、前記第１情報及び前記訂正用情報を前記帳票に印字して、前記帳票分類装置では、前記文字認識部が、前記帳票に印字された前記第１情報及び前記訂正用情報を文字認識して、前記識別情報認識部が、文字認識して得られた第１情報及び訂正用情報に基づいて、前記第１情報の文字認識結果を決定して、決定した前記第１情報の文字認識結果から前記識別情報を認識することを特徴とする。
【００１２】
また、本発明は、上記発明において、前記印字用帳票情報生成部は、前記識別情報に、モジュロ１０により得られた情報を付加して前記第１情報を生成することを特徴とする。
【００１３】
また、本発明は、上記発明において、前記帳票分類装置では、文字認識結果を決定した前記第１情報の中に、文字認識結果が得られなかった桁が１つだけ存在する場合には、該桁の文字認識結果が前記モジュロ１０に基づいて決定されることを特徴とする。
【００１４】
また、本発明は、上記発明において、前記帳票処理装置では、前記識別情報認識部が、文字認識して得られた前記訂正用情報を利用して、文字認識して得られた第１情報に含まれる、不明文字を含む読み取り間違いを訂正することを特徴とする。
【００１５】
また、本発明は、上記発明において、前記帳票処理装置では、前記印字用帳票情報生成部が、前記第１情報をエンコードして得られた第２情報及び第３情報を前記訂正用情報として前記印字用帳票情報を生成して、前記帳票分類装置では、前記文字認識部が、前記帳票に印字された前記第１情報、前記第２情報及び前記第３情報を文字認識して、前記識別情報認識部が、文字認識して得られた第１情報と、文字認識して得られた第２情報をデコードして得られた第１情報と、文字認識して得られた第３情報をデコードして得られた第１情報とに基づいて、前記第１情報の文字認識結果を決定することを特徴とする。
【００１６】
また、本発明は、上記発明において、前記帳票分類装置では、前記識別情報認識部が、文字認識して得られた前記第１情報、文字認識して得られた前記第２情報をデコードして得られた第１情報、及び文字認識して得られた前記第３情報をデコードして得られた第１情報の３つの情報の間で、対応する各桁の文字を比較して、前記３つの情報の同一桁で異なる文字が得られている場合には、２つ以上の情報で同一の文字が得られた桁では該文字を文字認識結果として採用し、３つの情報でそれぞれ異なる文字が得られた桁では該桁の文字は不明であるものとして前記第１情報の文字認識結果を決定することを特徴とする。
【００１７】
また、本発明は、上記発明において、前記帳票分類装置は、前記識別情報を認識できなかった帳票を排出するためのリジェクト部と、前記リジェクト部に排出された帳票に関する情報を報知する報知部とをさらに備えることを特徴とする。
【００１８】
また、本発明は、上記発明において、前記帳票分類装置は、前記リジェクト部に排出された帳票に付与された識別情報の入力を受け付けて、入力された前記識別情報に関する情報を表示するための操作表示部をさらに備えることを特徴とする。
【００１９】
また、本発明は、各帳票を一意に識別するための識別情報に基づいて帳票を種類別に分類する帳票処理システムによって実行される帳票処理方法であって、誤り訂正検出用の演算に基づいて、帳票に付与された識別情報から、前記帳票に印字する印字用帳票情報を生成する印字用帳票情報生成工程と、前記印字用帳票情報生成工程で生成された前記印字用帳票情報を前記帳票に印字する印字工程と、前記印字工程で前記帳票に印字された前記印字用帳票情報を文字認識する文字認識工程と、前記誤り訂正検出用の演算処理と不明文字及び読み取り間違いの訂正処理とを行って、前記文字認識工程で得られた文字認識結果に誤りがないことを検証して、前記文字認識結果に誤りがないことを検証できた場合に、文字認識して得られた前記印字用帳票情報から前記識別情報を認識する識別情報認識工程と、前記識別情報認識工程で認識された前記識別情報に基づいて、前記帳票を分類する分類工程と、を含んだことを特徴とする。
【００２０】
また、本発明は、各帳票を一意に識別するための識別情報に基づいて帳票を種類別に分類する帳票分類装置であって、前記識別情報を含む第１情報及び該第１情報をエンコードして得られた訂正用情報を含む印字用帳票情報が印字された帳票を処理対象として、前記帳票に印字された前記印字用帳票情報を文字認識する文字認識部と、文字認識した印字用帳票情報から第１情報及び訂正用情報を抽出して、抽出した第１情報と抽出した訂正用情報をデコードして得られた第１情報とに基づいて、文字認識した第１情報に誤りがないことを検証できた場合に、該第１情報から前記識別情報を認識する識別情報認識部と、前記識別情報認識部によって認識された前記識別情報に基づいて前記帳票を分類収納する複数の収納部とを備えることを特徴とする。
【発明の効果】
【００２１】
本発明によれば、データ上では帳票を識別情報によって管理しながら、帳票の現物については、識別情報に誤り訂正検出用の演算を適用して、例えば、チェックデジットを付加した第１情報と、訂正用情報とを用いて印字用帳票情報を生成し、この印字用帳票情報を印字して管理する。これにより、帳票の現物を分類する処理を行う際に、帳票に印字された印字用帳票情報の文字認識結果に不明文字や読み取り間違いが含まれる場合でも、誤り訂正検出用の演算処理により、識別情報を正確に取得することができる。具体的には、第１情報の訂正用情報として生成した第２情報及び第３情報をデコードして得られた２つの第１情報を利用して、第１情報の文字認識結果を訂正すると共に、チェックデジットを利用して第１情報の文字認識結果に誤りがないことを検証することができる。そして、得られた印字用帳票情報から識別情報を認識して帳票を分類することができる。
【００２２】
また、本発明によれば、帳票に付与された識別情報を認識できず、帳票がリジェクト部にリジェクトされた場合には、報知部によって、リジェクトされた帳票の存在が報知される。リジェクトされた帳票には、識別情報が目視確認可能な状態で印字されているので、装置の操作者は識別情報を容易に確認することができる。また、操作者が、帳票に印字された識別情報を装置に入力すると、この帳票の収納先等の情報が表示されるので、リジェクトされた帳票を対応する収納部に収納する作業等を容易に行うことができる。
【図面の簡単な説明】
【００２３】
【図１】図１は、本実施形態に係る帳票処理システムの構成及び処理の概要を示す模式図である。
【図２】図２は、帳票データの例を示す図である。
【図３】図３は、帳票の処理に必要な帳票情報が追加された帳票データの例を示す図である。
【図４】図４は、帳票処理装置の構成部を示すブロック図である。
【図５】図５は、帳票分類装置の構成部を示すブロック図である。
【図６】図６は、帳票処理装置、帳票データ入力装置及び帳票分類装置の機能構成を示すブロック図である。
【図７】図７は、帳票処理装置で行われる処理の流れを示すフローチャートである。
【図８】図８は、帳票識別情報から印字用帳票情報を生成する方法を説明する図である。
【図９】図９は、帳票分類装置で行われる処理の流れを示すフローチャートである。
【図１０】図１０は、帳票の裏面に印字された印字用帳票情報を文字認識する処理を説明する図である。
【図１１】図１１は、文字認識した印字用帳票情報から帳票識別情報を認識する方法を説明する図である。
【発明を実施するための形態】
【００２４】
以下に、添付図面を参照して、本発明に係る帳票処理システム、帳票処理方法及び帳票分類装置について説明する。本発明に係る技術は、小切手、手形等の様々な紙葉類に適用可能であるが、以下では、銀行の営業店及び帳票処理センターで処理される帳票を例に挙げて、帳票処理システム、帳票処理方法及び帳票分類装置として説明することとする。
【００２５】
図１は、本実施形態に係る帳票処理システム１の構成及び処理の概要を示す模式図である。帳票処理システムは、銀行営業店２に設置された帳票処理装置１０と、銀行営業店２から離れた場所にある帳票処理センター３に設置された帳票データ入力装置２０及び帳票分類装置３０とによって構成される。
【００２６】
図１では、帳票１００の現物の動きを黒矢印で示し、帳票１００に係るデータの送受信を白抜矢印で示している。銀行営業店２の帳票処理装置１０と帳票処理センター３の帳票データ入力装置２０との間は、ネットワーク等によってデータ通信可能に接続されている。また、帳票処理センター３内では、帳票データ入力装置２０と帳票分類装置３０との間が、ネットワーク等によってデータ通信可能に接続されている。
【００２７】
まず、顧客によって銀行営業店２に帳票１００が持ち込まれると、帳票処理装置１０によって帳票１００の画像が取得される（図１のＡ１）。このとき、帳票処理装置１０は、各帳票１００を一意に識別するための帳票識別情報（識別情報）を帳票１００に付与すると共に、帳票識別情報を利用して印字用に生成した印字用帳票情報１０１を帳票１００の裏面に印字する（Ａ２）。ここで、一意に識別するための帳票識別情報とは、例えば、電気料金の支払伝票の束を処理するような場合に、帳票のフォーマットが同じであっても、個々の帳票を区別して処理するために付与する情報である。すなわち、帳票識別情報を利用することにより、同じ種類の帳票が複数含まれる場合でも、個々の帳票を識別することが可能となっている。
【００２８】
例えば、プリンタ機能付スキャナを帳票処理装置１０として利用することができる。具体的には、スキャナの挿入口から装置内に帳票１００を繰り出して、装置内で帳票１００の表面をスキャンして帳票画像を取得すると共に、所謂エンドースメント処理として、帳票識別情報から生成した印字用帳票情報１０１を帳票１００の裏面に印字してから、装置外へ排出する。帳票処理システム１では、可視光下で目視確認可能なインクを利用して帳票裏面への印字が行われる。
【００２９】
帳票処理システム１では、例えば、帳票処理装置１０が安価なインクジェット方式のドットプリンタ等を利用しているために、印字された文字にドット抜けが生じるなどして印字品質が悪い場合でも、帳票１００に印字された文字の文字認識結果を検証できるように、誤り検出の技術を利用している。具体的には、例えば、帳票識別情報を７桁の番号として、各桁の７つの数字からモジュロ１０で算出したチェックデジットを末尾に加えた８桁の第１情報を生成して、これを帳票１００に印字する。
【００３０】
また、帳票処理システム１では、第１情報の文字認識結果を確実に得るために、文字認識時に第１情報の読み取り間違いを検出して訂正するための訂正用情報を利用して、帳票１００に印字する印字用帳票情報１０１を生成する。具体的には、８桁の第１情報に所定の演算式を適用してエンコードした８桁の第２情報と、第１情報に別の演算式を適用してエンコードした８桁の第３情報とを生成し、これらを訂正用情報とする。すなわち、訂正用情報とは、第１情報とは異なる番号であるが、デコードすることにより第１情報と同じ番号を得ることができる情報である。こうして得られた第１〜第３情報、すなわち３つの８桁の番号を、印字用帳票情報１０１として、帳票１００の裏面に印字する。印字用帳票情報１０１の文字認識時には、文字認識して得られた第１情報に不明文字や読み取り間違いがある場合でも、訂正用情報として付加した第２情報及び第３情報をデコードして得られた２つの第１情報に基づいて、これを検出して訂正することが可能となる。これら印字用帳票情報１０１に関する処理の詳細については後述する。
【００３１】
このように、帳票処理システム１では、モジュロ１０等の技術を帳票識別情報に適用して、帳票１００に印字する第１情報が生成される点に１つの特徴を有している。また、帳票処理システム１では、第１情報に加えて、第１情報を文字認識する際の訂正用情報として、第１情報をエンコードして生成した情報を帳票１００に印字する点に１つの特徴を有している。すなわち、帳票処理システム１では、第１情報を生成するためのモジュロ１０等の誤り検出用の演算と、第１情報をエンコードして訂正用情報を生成するための演算とを含む、誤り訂正検出用の演算を利用して、印字用帳票情報１０１を生成する点に１つの特徴を有している。なお、チェックデジットを求めるための演算式及び第１情報をエンコードするための各演算式は、設定により変更可能となっている。
【００３２】
第１情報をエンコードするための演算式については、例えば、第２情報及び第３情報が第１情報と同じになるように設定することも可能であるが、第１情報を形成する各桁の数字と、第２情報及び第３情報の対応する桁の数字とがそれぞれ異なる数字となるように演算式を設定することが好ましい。
【００３３】
例えば、帳票１００への情報印字に利用するインクジェット方式のドットプリンタでドット抜けが発生し、数字の「４」の横棒部分が印字されなくなり、文字認識時に、数字の「４」が数字の「１」と読み取られる場合がある。このような場合に、第１情報、第２情報及び第３情報の全てが同じ番号であると、第１情報の文字認識結果における読み取り間違いを訂正することができず、数字の「４」が数字の「１」と誤認識されたまま処理が進められる可能性が高い。これに対して、第１情報の各桁の数字と、第２情報及び第３情報の対応する桁の数字とがそれぞれ異なる数字であれば、正しい文字認識結果を得るか、又は異なる文字認識結果を得て操作者に確認を求めることが可能となる。このような場合を考慮して、帳票処理システム１では、初期設定として、第２情報及び第３情報がそれぞれ第１情報と異なる番号となるように、第１情報をエンコードするための演算式が設定されている。
【００３４】
銀行営業店２で取得された帳票画像は、帳票識別情報と関連付けた状態で、帳票データとして、帳票処理センター３の帳票データ入力装置２０へ送信される（図１のＢ１）。図２は、帳票データの例を示す図である。帳票データには、帳票処理装置１０で取得された帳票１００の帳票画像と、この帳票１００に付与された帳票識別情報とが関連付けられた状態で保存されている。
【００３５】
帳票データ入力装置２０では、受信した帳票データに含まれる帳票画像を利用して、帳票１００の処理に必要な情報をデータとして入力するデータエントリの作業が行われる（Ｃ１）。データエントリの作業は、必要な情報を帳票画像上で文字認識して自動入力することによって行うこともできるし、手入力によって行うこともできる。自動入力によって行う場合も、自動入力できない情報は手入力によって入力できるようになっている。図３は、データエントリ作業によって、帳票１００の処理に必要な帳票情報が追加された帳票データの例を示す図である。データエントリの作業では、図３に示すように、帳票１００の処理日時、帳票１００による振り込み等で処理される金額、振込先の口座番号等の情報が、帳票情報として追加される。データエントリの作業を完了すると、帳票１００による振り込み等の処理内容、金額、振込先の口座番号等が明らかになるので、帳票１００による口座処理等を開始することができる。すなわち、帳票処理センター３では、銀行営業店２から帳票１００の現物が運び込まれるのを待つことなく、帳票１００に係る処理を実行することができる。
【００３６】
また、帳票データ入力装置２０では、帳票１００の現物を帳票分類装置３０によって種類別に分類する際に、帳票分類装置３０が備える複数の収納部のうちいずれの収納部へどの帳票１００を収納するかを設定する処理が行われる。設定された収納先は、図３に示すように記憶部２２０に保存されている帳票データのデータエリアに登録される。
【００３７】
図３に示すように、帳票情報と、帳票分類装置３０における帳票１００の収納先とを帳票データに追加する処理が完了すると、帳票データに含まれる情報のうち帳票識別情報及び収納先の情報が、帳票データ入力装置２０から帳票分類装置３０へ送信される（図１のＣ２）。これにより、帳票分類装置３０では、帳票識別情報に基づいて、各帳票１００を対応する収納部へ分類して収納することが可能な状態となる。
【００３８】
銀行営業店２では、１日の営業を終了した後、その日処理された帳票１００の現物をまとめて帳票処理センター３へ移送する（Ｄ１）。移送された帳票１００を帳票分類装置３０に投入すると、帳票分類装置３０では、帳票１００の裏面に印字された印字用帳票情報１０１から帳票識別情報を認識する処理が開始される。
【００３９】
具体的には、帳票１００の裏面には、第１〜第３情報の８桁の番号３つと、２つの区切り文字とから成る２６文字の印字用帳票情報１０１が印字されているので、帳票分類装置３０では、印字用帳票情報１０１を文字認識した後、区切り文字に基づいて第１〜第３情報の３つの番号を抽出する。そして、文字認識して得られた第２情報及び第３情報をデコードして得られた２つの第１情報を訂正用情報として利用して、文字認識して得られた第１情報と比較しながら、第１情報の文字認識結果を決定する。
【００４０】
３つの第１情報を利用することにより、例えば、実際には数字の「１」である１桁目の数字が、１つの番号で「３」と誤認識された場合でも、他の２つの番号で「１」と認識されていれば、１桁目の数字は「１」であると判定することができる。これにより、１つの番号のみを利用する場合に比べて、高い確率で第１情報を正確に文字認識することができる。こうして８桁の番号である第１情報が得られると、最終桁のチェックデジットを除いた７桁の帳票識別情報を認識すると共に、認識した７桁の帳票識別情報に誤りが含まれていないことを、チェックデジットを利用して検証することができる。なお、帳票１００の裏面に印字された印字用帳票情報１０１から帳票識別情報を認識する方法の詳細については後述する。
【００４１】
帳票分類装置３０では、帳票データ入力装置２０から受信した情報に基づいて、帳票識別情報毎に収納先が管理された状態にあるので、帳票１００に付与された帳票識別情報が得られると、この帳票１００を対応する収納部に収納することができる。これを利用して、銀行営業店２から帳票処理センター３へ移送された複数の帳票１００を、帳票分類装置３０が有する複数の収納部のそれぞれに種類別に分類して収納する（Ｅ１）。
【００４２】
なお、帳票分類装置３０では、印字用帳票情報１０１を文字認識できなかった場合、第１情報を文字認識できなかった場合、チェックデジットを利用した検証で帳票識別情報に誤りがあると判定された場合等には、帳票１００はリジェクト部にリジェクトされ、操作者にはリジェクトされた帳票１００の存在が報知される。また、帳票データの中に帳票１００から取得した帳票識別情報が含まれていない場合や、帳票データに含まれる帳票識別情報に対応する帳票１００が存在しない場合等にも、操作者にこれが報知される。これらリジェクトされた帳票１００の処理及び報知処理については詳細を後述する。
【００４３】
このように、帳票処理システム１を利用することにより、帳票処理センター３では、銀行営業店２から帳票処理センター３への帳票１００の移送を待つことなく、帳票画像を含む帳票データを受信して帳票１００に関する処理を開始することができる。
【００４４】
また、帳票処理システム１では、第１情報と、第１情報を所定の演算式でエンコードして生成した訂正用情報とを含む印字用帳票情報１０１を帳票１００に印字する。これにより、帳票１００に印字された文字の印字品質が悪かったり、帳票１００の裏面に説明書きや模様があったりしたために、帳票１００に印字された印字用帳票情報１０１の文字が誤認識された場合でも、第１情報の文字認識結果と、文字認識して得られた訂正用情報をデコードした第１情報とに基づいて、第１情報の正確な文字認識結果を得ることができる。
【００４５】
さらに、帳票処理システム１では、帳票識別情報にモジュロ１０等の演算を適用して得られた情報を付加した第１情報を帳票１００に印字することにより、帳票１００に印字された第１情報を文字認識した後、第１情報の文字認識結果に誤りが含まれていないことを検証することができる。そして、誤りがないことを検証した第１情報の文字認識結果から帳票識別情報を認識して、帳票１００の分類処理を行うことができる。
【００４６】
次に、帳票処理システム１を構成する帳票処理装置１０及び帳票分類装置３０の構成について説明する。図４及び図５は装置内で帳票１００の現物を搬送する動作に係る構成を示し、図６は各帳票１００に付与される帳票識別情報の処理に係る構成を示している。
【００４７】
図４は、帳票処理装置１０の構成部を示すブロック図である。帳票処理装置１０は、受入口１１０、画像読取部１２０、印字部１３０、排出口１４０及びこれらを接続する搬送路１５０を有している。受入口１１０に載置した帳票１００は装置内に繰り出されて搬送路１５０を搬送され、画像読取部１２０及び印字部１３０を経て排出口１４０へ排出される。
【００４８】
画像読取部１２０は、ラインセンサ等から成るスキャン装置で、帳票１００の画像を取得する機能を有する。印字部１３０は、プリンタ装置で、可視光下で目視確認可能なインクを利用して、帳票１００に印字用帳票情報１０１を印字する機能を有する。画像読取部１２０は帳票１００の少なくとも表面の画像を取得して、印字部１３０は帳票１００の少なくとも裏面に文字、数字、記号等を印字する。ただし、画像読取部１２０によって帳票１００の両面の画像を取得することも可能であるし、印字部１３０によって帳票１００の両面に文字等を印字することも可能となっている。
【００４９】
図５は、帳票分類装置３０の構成部を示すブロック図である。帳票分類装置３０は、受入口３１０と、ラインセンサ等から成る画像読取部３２０と、リジェクト部３３０と、第１収納部３４１、第２収納部３４２等の複数の収納部と、これらを接続する搬送路３５０とを有している。受入口３１０に載置した帳票１００は装置内に繰り出されて搬送路３５０を搬送され、画像読取部３２０を経て、帳票１００に付された帳票識別情報に対応する収納部３４１、３４２へ収納される。また、帳票１００に付された帳票識別情報が不明である場合、帳票１００に付された帳票識別情報に対応する収納部が存在しない場合等には、帳票１００はリジェクト部３３０へ排出される。
【００５０】
図６は、帳票処理装置１０、帳票データ入力装置２０及び帳票分類装置３０の機能構成を示すブロック図である。帳票処理装置１０と帳票データ入力装置２０とはネットワーク４０を介してデータ通信可能に接続されている。また、帳票データ入力装置２０と帳票分類装置３０との間も専用ケーブルやネットワーク等によってデータ通信可能に接続されている。
【００５１】
帳票処理装置１０は、図４に示した構成部の他、制御部１６０及び記憶部１７０を有している。また、制御部１６０は、帳票搬送制御部１６１、帳票識別情報生成部１６２及び印字用帳票情報生成部１６３を有している。帳票搬送制御部１６１は、受入口１１０に載置された帳票１００を搬送路１５０に繰り出して排出口１４０まで搬送する制御を行う。
【００５２】
帳票識別情報生成部１６２は、受入口１１０から装置内へ帳票１００が繰り出されると、この帳票１００に付与する帳票識別情報を生成する機能を有する。例えば、帳票処理装置１０を利用する銀行営業店２の識別コードを示す番号と、日付を示す番号と、１日に処理される可能性がある帳票１００の最大枚数に基づいて設定された所定桁数の連続番号とを結合して帳票識別情報が生成される。具体的には、例えば１日の帳票１００の最大処理枚数が１０００枚に達することがなければ、各帳票１００に、固有の３桁の連続番号を付すように設定して、この３桁の連続数字と、日付を示す４桁の数字と、銀行営業店２の識別コードを示す数字とによって帳票識別情報を生成する。ただし、帳票識別情報を生成する際に、各帳票１００に付与する識別番号の他に、どのような情報を利用するか、各情報をどのような順に並べて結合するかについては、設定により変更できるようになっている。また、帳票識別情報は、数字のみで形成される態様に限定されるものではなく、一部にアルファベット等の文字や記号等を含む態様であっても構わない。
【００５３】
印字用帳票情報生成部１６３は、帳票１００に付与された帳票識別情報に基づいて、帳票１００の裏面に印字する印字用帳票情報１０１を生成する機能を有する。印字用帳票情報生成部１６３は、帳票識別情報に含まれる番号から各桁の数字を切り出して、切り出した数字にモジュロ１０等の誤り検出の技術を適用してチェックデジットを算出して、帳票識別情報にチェックデジットを付加した第１情報を生成する。さらに、印字用帳票情報生成部１６３は、第１情報に所定の演算式を適用してエンコードした第２情報及び第３情報を生成して、これら第１情報、第２情報及び第３情報を組み合わせて印字用帳票情報１０１を生成するが、詳細については後述する。
【００５４】
記憶部１７０は、例えば、不揮発性の半導体メモリやハードディスク等であって、制御部１６０の動作に必要な各種のプログラムやデータの保存に利用される。帳票識別情報及び印字用帳票情報１０１を生成するために必要な設定情報やデータ等が記憶部１７０に保存されている。また、記憶部１７０は、画像読取部１２０で読み取った帳票画像等、各種データの一時保存にも利用される。
【００５５】
帳票データ入力装置２０は、コンピュータ装置から成る装置で、操作表示部２１０及び記憶部２２０を有している。帳票データ入力装置２０は、帳票処理装置１０から、図２に示す帳票データを受信すると、これを記憶部２２０に保存する。操作者が、操作表示部２１０に帳票画像を表示して、目視確認しながら、帳票１００に基づいて処理する金額や振込先等の情報を入力するデータエントリの作業を行うと、帳票データ入力装置２０は、入力された帳票情報を図２に示す帳票データに追加する。また、帳票データ入力装置２０で、帳票分類装置３０における各帳票１００の収納先が指定されると、これが収納先情報として帳票データに登録される。
【００５６】
帳票分類装置３０は、図５に示した構成部の他、制御部３６０、記憶部３７０及び操作表示部３８０を有している。また、制御部３６０は、帳票搬送制御部３６１、文字認識部３６２、帳票識別情報認識部３６３及び報知部３６４を有している。帳票搬送制御部３６１は、受入口３１０に載置された複数の帳票１００を１枚ずつ順に搬送路３５０に繰り出して、画像読取部３２０を経て、リジェクト部３３０又は収納部３４１、３４２へ搬送する制御を行う。
【００５７】
文字認識部３６２は、画像読取部３２０で取得された帳票１００の帳票画像を利用して、帳票１００の裏面に印字された印字用帳票情報１０１を文字認識するＯＣＲ機能を有する。帳票識別情報認識部３６３は、文字認識された印字用帳票情報１０１から帳票識別情報を認識する機能を有する。報知部３６４は、印字用帳票情報１０１が文字認識できない場合、帳票識別情報が認識できない場合、帳票識別情報を認識できた帳票１００に対応する収納部が存在しない場合、帳票データに登録されている帳票識別情報に対応する帳票１００が存在しない場合等に、これを操作者に報知する機能を有する。これら帳票識別情報に関連する各処理の詳細については後述する。
【００５８】
記憶部３７０は、例えば、不揮発性の半導体メモリであって、制御部３６０の動作に必要な各種のプログラムやデータの保存に利用される。印字用帳票情報１０１を文字認識するための辞書データ、帳票識別情報を認識するために必要な設定情報やデータ等が、記憶部３７０に保存されている。また、帳票データ入力装置２０から帳票データを受信すると、帳票分類装置３０はこれを記憶部３７０に保存する。記憶部３７０に保存された帳票データには、図３に示すように、各帳票１００に付与された帳票識別情報と、帳票分類装置３０の収納部３４１、３４２との対応を設定した情報が含まれている。この設定情報と、帳票識別情報認識部３６３で認識された各帳票１００の帳票識別情報とに基づいて、帳票１００の収納先が決定される。また、記憶部３７０は、画像読取部３２０で読み取った帳票画像等、各種データの一時保存にも利用される。
【００５９】
次に、帳票処理装置１０で行われる処理及び帳票分類装置３０で行われる処理の詳細について説明する。なお、以下では、帳票識別情報に係る説明を簡単にするため、帳票識別情報が「１２３４５６７」の７桁の番号であるものとして説明する。
【００６０】
図７は、帳票処理装置１０で行われる処理の流れを示すフローチャートである。また、図８は、帳票識別情報から印字用帳票情報１０１を生成する方法を説明する図である。図７及び図８を参照しながら帳票処理装置１０で行われる処理について説明する。
【００６１】
帳票処理装置１０で、受入口１１０に受けた帳票１００の処理が開始されると、画像読取部１２０によって帳票１００の画像が取得され（ステップＳ１０）、帳票識別情報生成部１６２によって帳票識別情報が生成される（ステップＳ１１）。
【００６２】
図８（ａ）に示すように、帳票識別情報として７桁の番号「１２３４５６７」が帳票１００に付与されると、印字用帳票情報生成部１６３は、この帳票１００に印字するための印字用帳票情報１０１の生成処理（ステップＳ１２〜Ｓ１４）を開始する。
【００６３】
まず、印字用帳票情報生成部１６３は、７桁の帳票識別情報の各桁の数字に誤り検出用の演算式であるモジュロ１０を適用してチェックデジットを算出して、これを帳票識別情報の末尾に付加した第１情報を生成する（ステップＳ１２）。具体的には、図８（ｂ）に示すように、帳票識別情報を形成する各桁の数字と数字Ｘとの総和を数字の「１０」で割った余りが０（ゼロ）となるようにＸの値を決定する。帳票識別情報が７桁の番号「１２３４５６７」である場合は、Ｘ＝２となる。印字用帳票情報生成部１６３は、こうして算出したＸの値をチェックデジットとして帳票識別情報の末尾に追加して、８桁の第１情報「１２３４５６７２」を生成する。
【００６４】
続いて、印字用帳票情報生成部１６３は、第１情報を、それぞれ異なる演算式でエンコードした第２情報及び第３情報を生成する（ステップＳ１３）。具体的には、例えば、図８（ｃ）に示すように、第１情報の各桁の数字を、この数に「３」を加算して得られた数の１の位の数字に置き換えたものを第２情報とする。第１情報が８桁の番号「１２３４５６７２」である場合は、第２情報は「４５６７８９０５」となる。
【００６５】
同様に、第２情報の各桁の数字を、この数に「３」を加算して得られた数の１の位の数字に置き換えたものを第３情報とする。第２情報が８桁の番号「４５６７８９０５」である場合は、第３情報は「７８９０１２３８」となる。すなわち、第１情報の各桁の数字を、この数に「６」を加算して得られた数の１の位の数字に置き換えたものが第３情報となる。
【００６６】
続いて、印字用帳票情報生成部１６３は、第１情報、第２情報及び第３情報から印字用帳票情報１０１を生成する（ステップＳ１４）。具体的には、図８（ｄ）に示すように、第１情報と第２情報との間に１文字分のスペースを追加して、第２情報と第３情報との間に１文字分のスペースを追加することにより、第１情報、第２情報及び第３情報を結合した２６文字の文字列を印字用帳票情報１０１とする。
【００６７】
こうして印字用帳票情報１０１を生成すると、印字部１３０が、図８（ｅ）に示すように、帳票１００の裏面に印字用帳票情報１０１を印字するエンドースメント処理を行う（ステップＳ１５）。図８（ｅ）に示すように、帳票１００に印字される印字用帳票情報１０１は、先頭の７桁から、帳票識別情報である「１２３４５６７」の番号を読み取ることができる内容となっている。また、スペースで区切られた第１情報、第２情報及び第３情報はそれぞれ異なる番号となっているが、訂正用情報として付加された第２情報及び第３情報は、これをデコードすることにより第１情報が得られるようになっている。さらに、第１情報は、末尾のチェックデジットによって誤り検出可能な番号となっている。
【００６８】
画像読取部１２０で取得された帳票画像と、帳票識別情報生成部１６２で生成された帳票識別情報とを含む帳票データは、帳票処理装置１０から帳票データ入力装置２０へ、すなわち銀行営業店２から帳票処理センター３へ送信される（ステップＳ１６）。一方、画像読取部１２０によって画像を取得して、印字部１３０によって裏面に印字用帳票情報１０１を印字する処理を終えた帳票１００は、帳票処理装置１０の排出口１４０へ排出される。
【００６９】
こうして、帳票処理装置１０で帳票１００が処理されると、帳票データは処理後すぐに帳票データ入力装置２０へ送信される一方で、排出口１４０へ排出された帳票１００の現物は、銀行営業店２内の所定場所に保管される。保管された帳票１００の現物は、銀行営業店２の営業が終わった後に、まとめて帳票処理センター３へ移送される。
【００７０】
帳票処理センター３の帳票データ入力装置２０では、帳票処理装置１０から受信した帳票データを利用して、帳票１００によって処理される金額等の帳票情報を入力するデータエントリの作業が行われる。また、帳票データ入力装置２０では、帳票分類装置３０での各帳票１００の収納先を設定する作業が行われる。帳票分類装置３０での収納先は、例えば、帳票１００を種類別に分類するように設定される。帳票１００に付与された帳票識別情報と、帳票分類装置３０での収納先との対応を示す設定情報は、帳票データ入力装置２０から帳票分類装置３０へ送信される。
【００７１】
帳票分類装置３０では、帳票データ入力装置２０から受信した設定情報を記憶部３７０に保存した状態で、銀行営業店２から帳票処理センター３へ移送された帳票１００の処理が開始される。
【００７２】
図９は、帳票分類装置３０で行われる処理の流れを示すフローチャートである。また、図１０は帳票１００の裏面に印字された印字用帳票情報１０１を文字認識する処理を説明する図であり、図１１は、文字認識した印字用帳票情報１０１から帳票識別情報を認識する方法を説明する図である。以下では、図９〜図１１を参照しながら帳票分類装置３０で行われる処理について説明する。なお、帳票分類装置３０では、受入口３１０に載置された多数の帳票１００を１枚ずつ順に搬送路３５０に繰り出して、対応する収納部３４１、３４２に分類して収納するが、各帳票１００について同じ処理が行われるため、以下では１枚の帳票１００の処理について説明する。
【００７３】
帳票分類装置３０で、受入口３１０に受けた帳票１００の処理が開始されると、画像読取部３２０によって帳票１００の画像が取得される（ステップＳ２０）。そして、帳票１００の裏面を撮像した帳票画像を利用して、文字認識部３６２によって印字用帳票情報１０１を文字認識する処理が行われる（ステップＳ２１）。
【００７４】
帳票分類装置３０の記憶部３７０には、印字用帳票情報１０１として帳票１００に印字される可能性がある文字の辞書データが保存されている。具体的には、印字用帳票情報１０１が０〜９の数字で表される場合には、図１０（ａ）に示すように正立した０〜９の各数字の辞書画像から成る正立辞書データと、正立した数字の辞書画像を時計回りに９０度回転した同図（ｂ）に示す右向辞書データと、正立した数字の辞書画像を１８０度回転した同図（ｃ）に示す倒立辞書データと、正立した数字の辞書画像を反時計回りに９０度回転した同図（ｄ）に示す左向辞書データとが予め準備されている。
【００７５】
帳票１００の裏面画像１０２が得られると、図１０（ｅ）に矢印で示したように、画像上で、図１０（ａ）に示す各辞書画像を走査させることにより、画像に含まれる文字を探索する。例えば、「０」の辞書画像を裏面画像１０２上で走査して、辞書画像と、該辞書画像に対応する裏面画像１０２上の部分領域画像との類似度が所定値以上となった場合に、この部分領域画像に「０」の文字が含まれると判定する。文字認識部３６２は、図１０（ａ）〜（ｄ）に示すそれぞれの辞書データを利用して得られた文字認識結果に基づいて、印字用帳票情報１０１を認識する。
【００７６】
具体的には、裏面画像１０２上で、８桁の数字、１文字分のスペース、８桁の数字、１文字分のスペース及び８桁の数字が１列に並んだ２６文字の文字列が検出されると、この文字列が印字用帳票情報１０１であると認識する。また、印字用帳票情報１０１と推定される文字列が複数得られた場合には、辞書画像と各文字との類似度を比較して、類似度が最も高いものを印字用帳票情報１０１とする。なお、このとき、印字用帳票情報１０１を形成する各桁の部分領域画像と辞書画像との類似度の中に、予め設定された所定の閾値を超えない桁がある場合には、この桁の文字認識結果を、文字を特定できないことを示す不明文字とする。
【００７７】
帳票処理装置１０で印字用帳票情報１０１を印字した際の帳票１００の方向によって、裏面画像１０２上での印字用帳票情報１０１の印字方向が異なる。また、帳票分類装置３０で帳票１００の裏面画像１０２を取得する際の帳票の方向によって、裏面画像１０２上での印字用帳票情報１０１の印字方向が異なる。帳票分類装置３０では、文字認識部３６２が、図１０（ａ）〜（ｄ）に示す４方向に対応した各辞書データを利用して文字認識処理を行うことにより、裏面画像１０２に含まれる印字用帳票情報１０１の印字方向によらず、２６文字の文字列から成る印字用帳票情報１０１を文字認識できるようになっている。
【００７８】
例えば、図１１（ａ）に示すように印字用帳票情報１０１の文字認識結果が得られたものとして、以下の説明を続ける。帳票処理装置１０で実際に帳票１００に印字された印字用帳票情報１０１は、図８（ｄ）に示す文字列であるから、図１１（ａ）に示す文字認識結果では、図中に下線を付した文字が誤認識されている。なお、図中の下線は説明のために付したもので、実際の文字認識結果には下線はなく数字のみが含まれている。また、文字認識結果に含まれる「Ｒ」の文字は、文字認識結果が不明であることを示す不明文字である。なお、不明文字として用いる文字は特に限定されず所定の文字又は記号を利用することができる。
【００７９】
印字用帳票情報１０１の文字認識結果が得られると、帳票分類装置３０の帳票識別情報認識部３６３が帳票識別情報を認識する処理を開始する。帳票識別情報認識部３６３は、文字認識された２６文字の文字列から、第１情報、第２情報及び第３情報を抽出する（図９ステップＳ２２）。具体的には、図１１（ａ）に示す２６文字の文字認識結果を、区切り文字として利用された１文字分のスペースに基づいて分離して、同図（ｂ）に示すように、第１情報、第２情報及び第３情報の８桁の番号３つを抽出する。
【００８０】
続いて、帳票識別情報認識部３６３は、文字認識して得られた第２情報及び第３情報をデコード（復号）する処理を実行する（ステップＳ２３）。具体的には、図１１（ｂ）に示すように、第２情報の文字認識結果の各桁の数字を、この数から「３」を減算して得られた数の１の位の数字に置き換える。同様に、第３情報の各桁の数字を、この数から「６」を減算して得られた数の１の位の数字に置き換える。ただし、不明文字の桁は、不明文字のままとする。
【００８１】
第２情報及び第３情報は、第１情報の文字認識結果の訂正に利用するための訂正用情報として第１情報をエンコードして生成した情報であるため、第２情報及び第３情報をデコードすれば、いずれも第１情報と同一の情報となる。これを利用して、帳票識別情報認識部３６３は、印字用帳票情報１０１の文字認識結果から得られた第１情報と、第２情報をデコードして得られた情報と、第３情報をデコードして得られた情報とを比較する（ステップＳ２４）。
【００８２】
比較の結果、全ての情報が同一の番号とならない場合には（ステップＳ２４；Ｎｏ）、帳票識別情報認識部３６３は、一致しない桁の数字を決定する処理を行う（ステップＳ３１）。数字の決定は多数決の原理に基づいて行う。なお、不明文字についても、同様に、多数決の原理に基づく処理を行う。例えば、３つの番号のうち１つの番号で数字の文字認識結果が得られている場合でも、２つの番号でこの桁が不明文字となっている場合には、多数決の原理に基づき、この桁の文字認識結果を不明文字とする。
【００８３】
具体的には、図１１（ｃ）に示すように、３つの番号で１桁目の数字が一致していない場合に、２つの番号で同じ数字の「１」と認識されていれば、帳票識別情報認識部３６３は、多数決の原理に基づいて、１桁目の数字は「１」であると決定する。同様に、５桁目の数字は、多数決の原理に基づいて数字の「５」であると決定する。これに対して、３桁目のように、それぞれが異なる文字認識結果となっている場合には多数決によって数字を決定することができない。このため、帳票識別情報認識部３６３は、３桁目の数字は不明であるものとして、この桁に、文字認識結果が不明であることを示す不明文字「Ｒ」を割り当てる。この結果、図１１（ｃ）に示すように、第１情報は「１２Ｒ４５６７２」であると決定される（ステップＳ３２）。
【００８４】
ここで、帳票分類装置３０では、第１情報に不明文字が１文字だけ含まれている場合に、この不明文字を決定する処理を行うか否かを設定できるようになっている。不明文字を決定する処理を行わない設定となっている場合は、第１情報は「１２Ｒ４５６７２」のままとされる。一方、不明文字を決定する処理を行うよう設定されている場合は、帳票識別情報認識部３６３は、図１１（ｄ）に示すように誤り検出技術を利用して、不明文字を決定する。具体的には、不明文字「Ｒ」を含む第１情報「１２Ｒ４５６７２」の各桁の数字の総和を数字の「１０」で割った際に余りが０（ゼロ）となることを利用して、不明文字「Ｒ」が数字の「３」であると決定する。すなわち、第１情報は、不明文字を含まない８桁の番号「１２３４５６７２」であると決定する。
【００８５】
続いて、帳票識別情報認識部３６３は、決定した第１情報に不明文字が含まれているか否かを判定する（ステップＳ３３）。そして、第１情報に不明文字が含まれていない場合には（ステップＳ３３；Ｙｅｓ）、誤り検出処理を実行する（ステップＳ２６）。
【００８６】
同様に、ステップＳ２４の比較処理の結果、文字認識して得られた第１情報と、文字認識して得られた第２情報をデコードして得られた第１情報と、文字認識して得られた第３情報をデコードして得られた第１情報とが、全て同一の番号となっている場合にも（ステップＳ２４；Ｙｅｓ）、帳票識別情報認識部３６３は、この８桁の番号を第１情報として決定して（ステップＳ２５）、誤り検出処理を実行する（ステップＳ２６）。
【００８７】
誤り検出処理では、モジュロ１０に基づき、第１情報を形成する各桁の数字の総和を、数字の「１０」で割った余りが０（ゼロ）となるか否かが判定される（ステップＳ２７）。そして、余りが０となった場合には、帳票識別情報認識部３６３は、得られた第１情報に誤りはないものとして（ステップＳ２７；Ｙｅｓ）、第１情報の８桁の番号からチェックデジットである末尾の数字を除いた上位７桁の番号を帳票識別情報とする（ステップＳ２８）。
【００８８】
具体的には、帳票１００に印字されている第１情報が「１２３４５６７２」であると決定された場合は、各桁の総和を１０で割った余りが０となることから、第１情報に誤りはないとして、帳票識別情報は上位７桁の「１２３４５６７」であると決定される。
【００８９】
帳票識別情報認識部３６３によって帳票識別情報が決定されると、先に記憶部３７０に保存された帳票データに基づいて、帳票１００の搬送先となる収納部３４１、３４２が決定される（ステップＳ２９）。そして、帳票搬送制御部３６１が、決定された収納部３４１、３４２へ帳票１００を収納して（ステップＳ３０）、処理を終了する。なお、帳票データでは、帳票識別情報を有する帳票１００が分類収納されると、帳票識別情報と関連付けて帳票１００が処理済みであることを示す情報が付加される。
【００９０】
一方、ステップＳ３３の判定処理で第１情報に不明文字が含まれていた場合（ステップＳ３３；Ｎｏ）には、帳票１００は、リジェクト部３３０へ排出される（ステップＳ３４）。同様に、ステップＳ２７の判定処理で第１情報に誤りがあることが検出された場合にも（ステップＳ２７；Ｎｏ）、帳票１００は、リジェクト部３３０へ排出される（ステップＳ３４）。帳票１００がリジェクト部３３０へ排出されると、帳票分類装置３０では、報知部３６４が、リジェクトされた帳票１００に関する情報を操作表示部３８０に表示して、操作者に報知する報知処理を行って（ステップＳ３５）から、処理を終了する。
【００９１】
なお、図９では、帳票１００から得られた帳票識別情報が、記憶部３７０に保存された帳票データに登録されている例を示したが、帳票データに登録されている帳票識別情報の中に帳票１００から得られた帳票識別情報と一致するものが含まれていなかった場合にも、帳票１００はリジェクト部３３０にリジェクトされて、報知部３６４による報知処理が実行される。
【００９２】
報知処理では、報知部３６４によって、帳票１００の裏面画像１０２と、裏面画像１０２上の印字用帳票情報１０１に含まれる帳票識別情報の位置を示す情報とが操作表示部３８０の画面上に表示される。このため、リジェクト部３３０から帳票１００を抜き取った操作者は、リジェクトされた帳票１００の裏面で文字や模様の上に印字用帳票情報１０１が印字されている場合でも、印字用帳票情報１０１の位置を容易に認識することができる。また、操作表示部３８０の画面上には、印字用帳票情報１０１に含まれる帳票識別情報の位置が示されるので、操作者は、帳票識別情報を容易に認識することができる。
【００９３】
操作者は、リジェクトされた帳票１００の裏面に印字された帳票識別情報を目視確認して、操作表示部３８０にこれを入力する。報知部３６４は、記憶部３７０に登録されている帳票識別情報の中から、入力された帳票識別情報を探索する。そして、帳票識別情報が見つかると、報知部３６４は、これに対応する収納先情報を操作表示部３８０の画面上に表示する。操作者は、表示された情報を確認して、リジェクトされた帳票１００を、対応する収納部３４１、３４２に収納することができる。
【００９４】
なお、帳票データの中に、帳票１００に印字された帳票識別情報が含まれていない場合には、この事実が報知部３６４によって報知される。報知を受けた操作者は、帳票１００の確認、帳票１００に印字された帳票識別情報の確認等、所定の作業を行うことになる。
【００９５】
また、全ての帳票１００の分類収納処理を完了した後、帳票データに登録されている帳票識別情報を有する帳票１００の現物が存在しなかった場合にも、この事実が報知部３６４によって報知される。報知を受けた操作者は、帳票データの確認、帳票１００の確認等、所定の作業を行うことになる。
【００９６】
なお、本実施形態では、帳票処理装置１０では、帳票１００の表面の画像を取得して、帳票分類装置３０では、帳票１００の裏面の画像を取得する例を示したが、帳票処理装置１０及び帳票分類装置３０で、帳票１００の両面の画像を取得する態様であっても構わない。また、帳票１００の裏面に印字用帳票情報１０１を印字する例を示したが、帳票１００の表面に印字する態様であってもよいし、両面に印字する態様であっても構わない。
【００９７】
また、本実施形態の図７〜図１１では、帳票識別情報が７桁の数字であり、帳票識別情報にチェックデジットを付加した８桁の第１情報と、第１情報をエンコードした第２情報及び第３情報とによって印字用帳票情報１０１を生成する例を示したが、これは一例であって、本実施形態がこれに限定されるものではない。帳票識別情報は６桁以下であってもよいし、８桁以上であっても構わない。また、帳票識別情報が文字列と番号とによって形成されていてもよい。また、第１情報をエンコードして生成する情報の数が２つに限定されるものではなく、３つ以上であっても構わない。また、エンコードの方法が所定の数を繰り返し加算する方法に限定されるものではなく、異なる数を加算してもよいし、加算以外の方法でエンコードする方法であっても構わない。例えば、リードソロモン符号化、ハミングコード、ＣＲＣ（Ｃｙｃｌｉｃ  Ｒｅｄｕｎｄａｎｃｙ  Ｃｈｅｃｋ）等を利用する方法であってもよい。また、帳票識別情報にアルファベット等の文字を利用して、Ａ〜Ｚの並び順を数字のように取り扱う態様であっても構わない。
【００９８】
上述したように、本実施形態によれば、帳票１００を帳票識別情報によって管理しながら、帳票識別情報に誤り検出の技術を適用して得られたチェックデジットを付加した第１情報を帳票１００に印字するので、帳票１００の現物を処理する際に、帳票１００に印字された文字の文字認識結果を検証することができる。また、第１情報だけではなく、第１情報をエンコードして得られた第２情報及び第３情報を付加して生成した印字用帳票情報１０１を帳票１００に印字することにより、帳票１００に印字された文字の印字品質が悪い場合でも、高い確率で第１情報を文字認識することができる。これにより、高い確率で帳票１００に付与された帳票識別情報を認識して、帳票１００を分類することが可能となる。
【００９９】
また、本実施形態によれば、帳票１００に付与された帳票識別情報を機械認識できず、帳票１００がリジェクト部３３０にリジェクトされた場合でも、帳票１００の裏面には、帳票識別情報が目視確認可能な状態で印字されているので、操作者は、帳票１００に印字された帳票識別情報を目視確認して、この帳票識別情報に対応する収納部３４１、３４２に帳票１００を収納する作業等を容易に行うことができる。
【産業上の利用可能性】
【０１００】
以上のように、本発明に係る帳票処理システム、帳票処理方法及び帳票分類装置は、手形や帳票に付与した識別情報に基づいて帳票を効率よく管理するために有用である。
【符号の説明】
【０１０１】
１  帳票処理システム
２  銀行営業店
３  帳票処理センター
１０  帳票処理装置
２０  帳票データ入力装置
３０  帳票分類装置
４０  ネットワーク
１００  帳票
１１０、３１０  受入口
１２０、３２０  画像読取部
１３０  印字部
１４０  排出口
１５０、３５０  搬送路
１６０、３６０  制御部
１６１、３６１  帳票搬送制御部
１６２  帳票識別情報生成部
１６３  印字用帳票情報生成部
１７０、２２０、３７０  記憶部
２１０、３８０  操作表示部
３３０  リジェクト部
３４１  第１収納部
３４２  第２収納部
３６２  文字認識部
３６３  帳票識別情報認識部
３６４  報知部
【図１】
2016095589.tif 000003
【図２】
2016095589.tif 000004
【図３】
2016095589.tif 000005
【図４】
2016095589.tif 000006
【図５】
2016095589.tif 000007
【図６】
2016095589.tif 000008
【図７】
2016095589.tif 000009
【図８】
2016095589.tif 000010
【図９】
2016095589.tif 000011
【図１０】
2016095589.tif 000012
【図１１】
2016095589.tif 000013